【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
入射光によって生じた電荷の蓄積を行う光電変換部と、前記電荷を保持する保持部と、前記電荷に基づく信号を出力する増幅部と、前記光電変換部から前記保持部へ前記電荷を転送する第１の転送スイッチと、前記保持部から前記増幅部へ前記電荷を転送する第２の転送スイッチと、をそれぞれが有する複数の画素と、
前記複数の画素が接続された出力線と、を有し、
第１の時刻において、前記複数の画素の前記光電変換部が前記電荷の蓄積を開始し、
前記第１の時刻から第２の時刻まで、前記複数の画素の少なくとも１つの画素の前記第１の転送スイッチがオフに維持され、かつ、前記少なくとも１つの画素の前記光電変換部が前記第１の時刻から前記第２の時刻までの第１の期間に生じた電荷を蓄積し、
遅くとも前記第２の時刻までに１つのフレームに対応する信号の出力が完了するように、前記第１の期間に、前記複数の画素の前記第２の転送スイッチが順にオンし、かつ、前記複数の画素の前記増幅部が前記信号を順に出力し、
前記第２の時刻に、前記複数の画素の前記第１の転送スイッチがオフからオンに制御されることにより、前記第１の期間に生じた電荷を前記光電変換部から前記保持部に転送し、
前記第２の時刻から第３の時刻まで、前記複数の画素の前記保持部が、前記光電変換部において前記第１の期間に生じた電荷を保持し、
前記第２の時刻から前記第３の時刻までの第２の期間の少なくとも一部に、前記複数の画素の前記光電変換部が、前記光電変換部において前記第２の期間に生じる電荷を蓄積し、
前記第３の時刻に、前記複数の画素の前記第１の転送スイッチが、前記第２の期間に生じた電荷を前記光電変換部から前記保持部に転送し、前記保持部は前記第１の期間に生じた電荷と前記第２の期間に生じた電荷の両方を保持する、
ことを特徴とする撮像装置。
【請求項２】
前記第２の時刻から第３の時刻まで、前記複数の画素の前記第２の転送スイッチがオフに維持される、
ことを特徴とする請求項１に記載の撮像装置。
【請求項３】
前記第２の期間の前記少なくとも一部に、前記複数の画素の前記第１の転送スイッチがオフに制御される、
ことを特徴とする請求項１または請求項２に記載の撮像装置。
【請求項４】
前記第２の期間において、前記第１の転送スイッチのオフからオンへの制御を複数回行う、
ことを特徴とする請求項１乃至請求項３のいずれか一項に記載の撮像装置。
【請求項５】
前記複数回は、前記光電変換部の飽和電荷量に対する前記保持部の飽和電荷量の比よりも大きい、
ことを特徴とする請求項４に記載の撮像装置。
【請求項６】
前記複数の画素のそれぞれが、前記光電変換部の電荷を排出する排出スイッチを有し、
前記第１の時刻から前記第２の時刻まで、前記少なくとも１つの画素の前記排出スイッチがオフに維持される、
ことを特徴とする請求項１乃至請求項５のいずれか一項に記載の撮像装置。
【請求項７】
前記排出スイッチをオンからオフへ制御することによって、前記電荷の蓄積を開始する、
ことを特徴とする請求項６に記載の撮像装置。
【請求項８】
前記第１の転送スイッチをオンからオフへ制御することによって、前記電荷の蓄積を開始する、
ことを特徴とする請求項１乃至請求項６のいずれか一項に記載の撮像装置。
【請求項９】
前記保持部は、前記電荷を保持する第１導電型の第１の半導体領域を含む、
ことを特徴とする請求項１乃至請求項８のいずれか一項に記載の撮像装置。
【請求項１０】
前記保持部は、前記第１の半導体領域の上に配された第２導電型の第２の半導体領域を含む、
ことを特徴とする請求項９に記載の撮像装置。
【請求項１１】
前記保持部は、前記第１の半導体領域の下に配された第２導電型の第３の半導体領域、および、前記第３の半導体領域の下に配された第２導電型の第４の半導体領域を含み、
前記第３の半導体領域の不純物濃度が、前記第４の半導体領域の不純物濃度より高い、
ことを特徴とする請求項９または請求項１０に記載の撮像装置。
【請求項１２】
前記複数の画素のそれぞれの前記光電変換部に対応して配された導波路を有する、
ことを特徴とする請求項１乃至請求項１１のいずれか一項に記載の撮像装置。
【請求項１３】
前記第３の時刻において、前記複数の画素の前記光電変換部が同時に前記電荷の蓄積を開始し、
その後、前記第１の時刻から前記第３の時刻までの動作を繰り返す、
ことを特徴とする請求項１乃至請求項１２のいずれか一項に記載の撮像装置。
【請求項１４】
前記光電変換部および前記保持部が配された半導体基板を有し、
前記半導体基板の表面と平行な面への前記光電変換部の正射影の面積が、前記面への前記保持部の正射影の面積より小さい、
ことを特徴とする請求項１乃至請求項１３のいずれか一項に記載の撮像装置。
【請求項１５】
前記保持部の飽和電荷量は、前記光電変換部の飽和電荷量より大きい、
ことを特徴とする請求項１乃至請求項１４のいずれか一項に記載の撮像装置。
【請求項１６】
入射光によって生じた電荷の蓄積を行う光電変換部と、前記電荷を保持する保持部と、前記電荷に基づく信号を出力する増幅部と、前記光電変換部から前記保持部へ前記電荷を転送する第１の転送スイッチと、前記保持部から前記増幅部へ前記電荷を転送する第２の転送スイッチと、をそれぞれが有する複数の画素と、
前記複数の画素が接続された出力線と、を有し、
第１のフレームと前記第１のフレームの後に続く第２のフレームの撮像を行う撮像装置であって、
前第２のフレームの露光期間は、第１の期間と前記第１の期間に続く第２の期間とを含み、
前記第１の期間に、前記複数の画素の前記増幅部が、前記保持部に保持されている電荷に基づいて、前記第１のフレームに対応する信号を出力し、
前記第１の期間においては、前記複数の画素の前記光電変換部が、前記第１の期間に生じる電荷を蓄積し、
前記第２のフレームに対応する信号の出力が終わった後の前記第２の期間においては、前記複数の画素の前記保持部が、前記第１の期間に生じた電荷を保持し、
前記第２のフレームの露光期間の終了した後に、前記複数の画素の前記保持部が、前記第１の期間に生じた電荷と前記第２の期間に生じた電荷の両方を保持する、
ことを特徴とする撮像装置。
【請求項１７】
前記第１の期間において、前記複数の画素の前記第１の転送スイッチがオフに維持される、
ことを特徴とする請求項１６に記載の撮像装置。
【請求項１８】
前記第１の期間の最後と、前記第２の期間の最後に、前記複数の画素の前記第１の転送スイッチが、前記光電変換部の電荷を前記保持部へ転送する、
ことを特徴とする請求項１６または請求項１７に記載の撮像装置。
【請求項１９】
前記保持部の飽和電荷量は、前記光電変換部の飽和電荷量より大きい、
ことを特徴とする請求項１６乃至請求項１８のいずれか一項に記載の撮像装置。
【請求項２０】
請求項１乃至請求項１９のいずれか一項に記載の撮像装置と、
前記撮像装置からの信号を処理する信号処理装置と、を備える、
こと特徴とする撮像システム。
【手続補正２】
【補正対象書類名】明細書
【補正対象項目名】０００７
【補正方法】変更
【補正の内容】
【０００７】
本発明の１つの側面に係る実施形態は、入射光によって生じた電荷の蓄積を行う光電変換部と、前記電荷を保持する保持部と、前記電荷に基づく信号を出力する増幅部と、前記光電変換部から前記保持部へ前記電荷を転送する第１の転送スイッチと、前記保持部から前記増幅部へ前記電荷を転送する第２の転送スイッチと、をそれぞれが有する複数の画素と、前記複数の画素が接続された出力線と、を有し、第１の時刻において、前記複数の画素の前記光電変換部が前記電荷の蓄積を開始し、前記第１の時刻から第２の時刻まで、前記複数の画素の少なくとも１つの画素の前記第１の転送スイッチがオフに維持され、かつ、前記少なくとも１つの画素の前記光電変換部が前記第１の時刻から前記第２の時刻までの第１の期間に生じた電荷を蓄積し、遅くとも前記第２の時刻までに１つのフレームに対応する信号の出力が完了するように、前記第１の期間に、前記複数の画素の前記第２の転送スイッチが順にオンし、かつ、前記複数の画素の前記増幅部が前記信号を順に出力し、前記第２の時刻に、前記複数の画素の前記第１の転送スイッチがオフからオンに制御されることにより、前記第１の期間に生じた電荷を前記光電変換部から前記保持部に転送し、前記第２の時刻から第３の時刻まで、前記複数の画素の前記保持部が、前記光電変換部において前記第１の期間に生じた電荷を保持し、
前記第２の時刻から前記第３の時刻までの第２の期間の少なくとも一部に、前記複数の画素の前記光電変換部が、前記光電変換部において前記第２の期間に生じる電荷を蓄積し、前記第３の時刻に、前記複数の画素の前記第１の転送スイッチが、前記第２の期間に生じた電荷を前記光電変換部から前記保持部に転送し、前記保持部は前記第１の期間に生じた電荷と前記第２の期間に生じた電荷の両方を保持する、ことを特徴とする。
【手続補正３】
【補正対象書類名】明細書
【補正対象項目名】０００８
【補正方法】変更
【補正の内容】
【０００８】
本発明の別の側面に係る実施形態は、入射光によって生じた電荷の蓄積を行う光電変換部と、前記電荷を保持する保持部と、前記電荷に基づく信号を出力する増幅部と、前記光電変換部から前記保持部へ前記電荷を転送する第１の転送スイッチと、前記保持部から前記増幅部へ前記電荷を転送する第２の転送スイッチと、をそれぞれが有する複数の画素と、前記複数の画素が接続された出力線と、を有し、第１のフレームと前記第１のフレームの後に続く第２のフレームの撮像を行う撮像装置であって、前第２のフレームの露光期間は、第１の期間と前記第１の期間に続く第２の期間とを含み、前記第１の期間に、前記複数の画素の前記増幅部が、前記保持部に保持されている電荷に基づいて、前記第１のフレームに対応する信号を出力し、前記第１の期間においては、前記複数の画素の前記光電変換部が、前記第１の期間に生じる電荷を蓄積し、前記第２のフレームに対応する信号の出力が終わった後の前記第２の期間においては、前記複数の画素の前記保持部が、前記第１の期間に生じた電荷を保持し、前記第２のフレームの露光期間の終了した後に、前記複数の画素の前記保持部が、前記第１の期間に生じた電荷と前記第２の期間に生じた電荷の両方を保持する、ことを特徴とする。